(57)【要約】【課題】建物の建築現場に於ける根伐りの実施に伴って発生する掘削土を合理的に処理する。【解決手段】根伐り部１の周囲に上部を平坦に均した直積み部４を形成して集積場３とし、掘削土を単位容量の袋体２に充填し、この袋体２を集積場３に集積しておき、埋め戻しの際に袋体２を車両によって吊り上げ、該袋体２を破き或いは底部に設けたロープやファスナーを開放することで掘削土を落下させる。また再使用し得ない掘削土は残土として処理し、或いは袋体２に充填した状態で大型の土嚢として利用する。【選択図】       図１
2004293292.tif 000002
【特許請求の範囲】
【請求項１】
建物の建築現場で発生する掘削土の処理方法に於いて、掘削土を単位容量の複数の袋体に分散して充填し、各袋体の開口部を閉じて建物の建築に支障のない集積場所に配置し、掘削場所を埋め戻す際に、前記集積場所に配置した袋体の掘削土を利用することを特徴とする建築現場の掘削土の処理方法。
【請求項２】
掘削土を掘削場所に埋め戻す際に、吊り上げ装置で袋体を吊り上げて開袋して内部の掘削土を落下させることを特徴とする請求項１に記載した建築現場の掘削土の処理方法。
【請求項３】
埋め戻しに利用しない掘削土を充填した余剰の袋体を廃棄処理することを特徴とする請求項１又は２の何れかに記載した建築現場の掘削土の処理方法。
【発明の詳細な説明】
【技術分野】
【０００１】
本発明は、建物の建築現場で発生した掘削土を廃棄し或いは埋め戻す際の処理を合理的に行うための建築現場の掘削土の処理方法に関するものである。
【背景技術】
【０００２】
建物の建築現場では、基礎工事や配管工事等の土工事に伴って多量の掘削土が発生する。この掘削土は埋め戻しに利用することがあるため、可能な限り敷地内に積んでおき、積めなかった残り分をクレーン車等にてトラック積みし、所定の残土処理場に捨てている。
【０００３】
そして建物の基礎等が完成した後、掘削部位を埋め戻す際には、敷地内に積んである掘削土を利用し、不足が出た場合には残土処理場から引き取り、余分が出た場合には再度残土処理場に捨てているのが一般的である。また残土処理は全てが有料である。
【発明の開示】
【発明が解決しようとする課題】
【０００４】
建物の建築現場で発生した掘削土は敷地内に積んでおき、埋め戻し作業が終了した後、残土を残土処理場に捨てることが可能であれば、一度の作業で残土処理を行うことが出来るため好ましい。
【０００５】
しかし、掘削土を敷地内に積んでおく場合には、裾野を持った山状で且つ高さを900mm 程度とするのが限界であり、それ以上では崩れる虞があった。このため、敷地面積が狭い都市型中低層戸建住宅の建築現場では、掘削土を全部残土として処理し、埋め戻しの際に必要な客土を全て購入するのが一般的であり、残土処理の費用及び客土の費用が掛かるという問題がある。
【０００６】
このため、狭い敷地で工事を行う場合であっても、小さい占有面積で少なくとも埋め戻しに必要な程度の掘削土を敷地内に残しておくことで、費用の削減をはかることが出来る技術の開発が望まれている。
【０００７】
本発明の目的は、掘削土の処理に掛かる費用の削減をはかると共に工期の短縮を実現することが出来る建築現場の掘削土の処理方法を提供することにある。
【課題を解決するための手段】
【０００８】
上記課題を解決するために本発明に係る建築現場の掘削土の処理方法は、建物の建築現場で発生する掘削土の処理方法に於いて、掘削土を単位容量の複数の袋体に分散して充填し、各袋体の開口部を閉じて建物の建築に支障のない集積場所に配置し、掘削場所を埋め戻す際に、前記集積場所に配置した袋体の掘削土を利用することを特徴とするものである。
【０００９】
上記建築現場の掘削土の処理方法に於いて、掘削土を掘削場所に埋め戻す際に、吊り上げ装置で袋体を吊り上げて開袋して内部の掘削土を落下させることが好ましく、更に、埋め戻しに利用しない掘削土を充填した余剰の袋体を廃棄処理することが好ましい。
【発明の効果】
【００１０】
本発明に係る建築現場の掘削土の処理方法では、発生した掘削土を単位容量を持った袋体に充填することによって、非定型物体である掘削土を定型物体である袋体に変換して取り扱うことが出来る。このため、袋体を段積みしても崩れる虞がなく、建築に支障のない場所に小さい占有面積で集積しておくことが出来る。そして根伐り部位を埋め戻す際に、袋体に充填した掘削土を使用することで、残土処理に要する費用及び客土に要する費用を軽減することが出来、且つ客土の搬入等に必要な期間が省略出来るため、工期の短縮化を実現することが出来る。
【００１１】
特に、掘削土を袋体に充填して集積するため、掘削土が露出することがなく、外観を向上させることが出来、また崩れる虞がないため、雨天の際にも建築現場の作業性を阻害することがない。
【００１２】
また埋め戻す際に掘削土が充填された袋体を吊り上げ装置で吊り上げた状態で、該袋体を破いたりロープを解いたりして内部に充填された掘削土を落下させることで、埋め戻し作業を容易に実施することが出来、且つ作業時間の短縮化をはかることが出来る。
【００１３】
また、埋め戻しに利用しない掘削土を充填した余剰の袋体を廃棄処理することによって、集積場から残土処理場まで運搬する際にトラックに対する積み込みを容易に行うことが出来る。
【発明を実施するための最良の形態】
【００１４】
以下、上記建築現場の掘削土の処理方法について図を用いて説明する。図１は建物の建築現場に掘削土を充填した袋体を仮置きしておく状態を説明する図、図２は埋め戻し作業を行う状態を説明する図である。
【００１５】
本発明に係る建築現場の掘削土の処理方法は、図１に示すように、基礎を構築する際に根伐り部１から発生した掘削土を、単位容量を持った複数の袋体２に分散して充填することで、非定型物体である掘削土を定型物体として取り扱うことを可能とし、且つ開口部を閉じた袋体２を建物の建築に支障のない集積場３に配置することにより、従来の積み上げ高さに拘束されることなく、狭い敷地であっても安全に且つ作業性を損なうことなく、掘削土を集積しておくことを可能としたものである。
【００１６】
袋体２の単位容量は特に限定するものではないが、掘削土を充填したときの重量が建築現場に配置したクレーン車やレッカー車によって容易に移送し得る程度の容量であることが好ましい。このため、本実施例では袋体２の容量を０．３〜１．５立方メートルとし、この袋体２に掘削土を充填したときの重量が０．５〜２トンの範囲になるようにしている。
【００１７】
例えば、４トンのレッカー車（ユニック車）によって約５ｍ程度移送し得る重量としては約１トンであり、容量としては０．７〜０．８立方メートルであり、１辺の長さが約0.9 ｍの立方体として形成することが可能である。
【００１８】
特に、掘削土を充填した袋体２を段積みすることによって集積場に於ける集積効率を高めることが好ましい。このため、袋体２は掘削土を充填したとき、立方体或いは直方体の形状を実現し得るように形成されている。
【００１９】
袋体２は、ワイヤロープやスリング等を用いることでクレーン車やレッカー車によって吊り上げることが可能である。しかし、袋体２に予めスリング状の紐を取り付け（図示せず）ておき、この紐を利用して吊り上げるようにすることが好ましい。
【００２０】
また袋体２の底部分に開口部を形成すると共にこの開口部をロープ或いはファスナー等の閉鎖部材によって閉鎖しておき、埋め戻しの際には該閉鎖部材を開くことで開袋し、これにより、充填された掘削土を落下させるように構成することが好ましい。
【００２１】
上記の如き、袋体２を利用することによって、図１に示すように、根伐り部１の周囲に掘削土の直積み部４を構成し、この直積み部４の上部を平坦に均して掘削土を充填した袋体２を載置することが可能であり、従来の直積み部４の高さが最大９００mm程度であっても、この上部に約９００mmの高さで新たに掘削土を積み上げることが可能となる。
【００２２】
袋体２は適度な防水性と強度を有することが好ましい。このような材料としては、防水性が付与された帆布等の布がある。このような性質を持った袋体２を利用することによって、雨天時にも充填された掘削土が浸出したり、掘削土が水を含むことがなく、且つ吊り上げて移送する際にも簡単に破れることがない。
【００２３】
尚、再使用し得ない掘削土であっても、全てが袋体２の内部に充填されているため、必ずしも全てを残土として処理することなく該袋体２を土嚢として利用することが可能である。特に、袋体２が段積みし得るような形状を有していることから、大型の土留め用の土嚢として洪水現場の補修等に使用することが容易である。
【００２４】
図２は埋め戻しの際の作業を説明するものである。図に示すように、掘削土を充填した袋体２をユニック或いはレッカー等の車両５によって吊り上げて埋め戻し現場に移送し、この状態でナイフ等により袋体２を破いて、或いは底部に形成された開口部を閉鎖するロープを解いて、内部に充填された掘削土を落下させる。これにより、埋め戻し現場に掘削土を供給して埋め戻すことが可能である。
【産業上の利用可能性】
【００２５】
本発明は非定形物体である掘削土を袋体２とすることによって定形物体として取り扱うことが可能であり、敷地の狭い建築現場に適用したときに有利である。
【図面の簡単な説明】
【００２６】
【図１】建物の建築現場に掘削土を充填した袋体を仮置きしておく状態を説明する図である。
【図２】埋め戻し作業を行う状態を説明する図である。
【符号の説明】
【００２７】
１                            根伐り部
２                            袋体
３                            集積場
４                            直積み部
５                            車両
【図１】
2004293292.tif 000003
【図２】
2004293292.tif 000004